(57)【要約】【課題】  高転写効率を達成し、バンディングによる濃度ムラを抑制でき、しかも高付加価値に構成すると共に、構成を簡素化して小型化可能とした廉価な画像形成装置を提供する。【解決手段】  中間転写体３２にトナー像を転写する複数の画像形成ユニット１０ｉ、１２Ｋ、１４Ｃ、１６Ｍ、１８Ｙを備えた、タンデム型の中間転写方式による画像形成装置１１であって、少なくとも一つの画像形成ユニット１０ｉに設けた感光体２０を中間転写体３２に略等速で転接させると共に、その他の画像形成ユニット１２Ｋ、１４Ｃ、１６Ｍ、１８Ｙに設けた各感光体２０を中間転写体３２に速度差をもって転接させる。【選択図】  図１
2006267705.tif 000002
【特許請求の範囲】
【請求項１】
中間転写体または用紙搬送ベルト上の記録媒体にトナー像を転写する複数の画像形成ユニットを備えた、画像形成装置において、
前記中間転写体または前記用紙搬送ベルトに略等速で転接する、少なくとも一つの前記画像形成ユニットに設けた感光体と、
前記中間転写体または前記用紙搬送ベルトに速度差をもって転接する、前記画像形成ユニットに設けた感光体と、
を有することを特徴とする画像形成装置。
【請求項２】
前記中間転写体または前記用紙搬送ベルトに速度差をもって転接する前記感光体と前記中間転写体または前記用紙搬送ベルトとの速度差が、前記感光体の移動速度をＶｐ、前記中間転写体または前記用紙搬送ベルトの移動速度をＶｔとしたときに、０．０５≧｜（Ｖｔ−Ｖｐ）｜／Ｖｐ≧０．００９なる関係であることを特徴とする請求項１に記載の画像形成装置。
【請求項３】
転写材に一括転写をする中間転写体と、
前記中間転写体に、トナー像を転写するための感光体と、帯電手段と、露光手段と、現像手段とを設けた、複数の画像形成ユニットと、を備え、
少なくとも一つの前記画像形成ユニットに設けた前記感光体を、前記中間転写体に略等速で転接させると共に、それ以外の前記画像形成ユニットをクリーナーレス方式に構成し更に前記画像形成ユニットに設けた前記感光体を前記中間転写体または前記用紙搬送ベルトに速度差をもって転接させることによって、前記各感光体上のトナー像を前記中間転写体または前記用紙搬送ベルト上の記録媒体上に転写することを特徴とする画像形成装置。
【請求項４】
前記中間転写体または前記用紙搬送ベルトに略等速で転接する前記感光体が、不可視光に吸収域を有する透明トナー像を現象するものであることを特徴とする請求項１乃至請求項３の何れか１項に記載の画像形成装置。
【発明の詳細な説明】
【技術分野】
【０００１】
この発明は、記録用紙等の画像出力媒体表面に白黒画像又はカラー画像を形成するためのカラートナーに対応した画像形成ユニットと、特殊色（特色）としての不可視光に吸収域を持つ透明トナーに対応した画像形成ユニットとを備え、小型で高画質、高付加価値とした画像形成装置に関する。
【背景技術】
【０００２】
一般に、電子写真方式を採用したカラー複写機やカラープリンタ、あるいはカラーファクシミリ等の多色の画像形成装置（カラー画像形成装置）としては、いわゆるタンデム型の中間転写方式を採用した多色の画像形成装置が広く用いられている。
【０００３】
このタンデム型の中間転写方式を採用した画像形成装置では、無端状に形成した中間転写ベルトの表面に沿って、イエロー、マゼンタ、シアン、ブラック、特殊色のトナー像を形成する複数の感光体ドラムを配設するとともに、各感光体ドラムの周囲にそれぞれ帯電手段、露光手段、現像手段等をそれぞれ配設して画像形成ユニットを構成する。
【０００４】
このタンデム型の中間転写方式を採用した画像形成装置では、これらの各感光体ドラム上に各々イエロー、マゼンタ、シアン、ブラック、特殊色で形成された各色のトナー像を、順次、像担持体である中間転写ベルト上に互いに重ね合わせた状態で転写していき、中間転写ベルト上に多重に転写されたイエロー、マゼンタ、シアン、ブラック、特殊色の各色のトナー像を、最終的に、記録用紙上に一括して転写してカラー画像を形成する。
【０００５】
かかるタンデム型の中間転写方式を採用した画像形成装置においては、中間転写ベルトの駆動速度に速度ムラがあると、この中間転写ベルトの移動方向と直交する方向に沿った帯状の領域の画像濃度が、中間転写ベルトの移動方向に沿って周期的に変動する、いわゆるバンディングと呼ばれる画質欠陥が発生することが知られている。
【０００６】
そこで従来のタンデム型の中間転写方式を採用した画像形成装置では、像担持体としての中間転写ベルトに、回転部材を接触させて、中間転写ベルトとの間で滑らずに転接するよう等速で回転駆動させることにより、中間転写ベルトに速度変動が発生した際に、この回転部材の粘性効果により、中間転写ベルトの速度変動を抑制し、中間転写ベルトの速度を十分安定化させていわゆるバンディングによる画質欠陥の発生を防止することが提案されている（例えば、特許文献１参照。）。
【０００７】
また、タンデム型の中間転写方式を採用した画像形成装置に対しては、中抜け画像（感光体ドラム上に形成されたトナー像の一部が中間転写ベルトに転写されない現象）がなく、多重転写時においても高い転写率を示し、クリーナ負荷がほとんどかからない程度にまで転写性能を向上させるように高性能化することが要望されている。
【０００８】
この要望に答えるため、タンデム型の中間転写方式を採用した画像形成装置では、画像形成ユニットに設けた感光体ドラムの周速度と中間転写ベルトの周速度とに差（周速度比）を設けることにより、感光体ドラム上に形成されたトナー像が中間転写ベルトに摺擦されてせん断力を受けることにより、感光体ドラムに対するトナー像の付着力を弱めて、転写用のクーロン力により中間転写ベルトへ容易に転写できるようにして転写率を向上させる手段が考えられる。
【０００９】
しかし、タンデム型の中間転写方式を採用した画像形成装置では、このように画像形成ユニットに設けた感光体ドラムの周速度と中間転写ベルトの周速度とに差（周速度比）を設けると、感光体ドラムと中間転写ベルトとの間の摩擦力が低下し、中間転写ベルトが駆動変動の影響を直接受けて速度ムラが悪化し、バンディングによる画質欠陥が顕著になる。
【００１０】
そこで、バンディングによる画質欠陥の発生を防止するために、従来提案されている手段を用いて、中間転写ベルトに回転部材を転接させ粘性効果によりバンディングの発生を防止するよう構成すると、この回転部材と、その駆動手段を新たに付加することが必要となりコストアップとなる。
【００１１】
また、小型の画像形成装置に付加価値を付け高画質とするために、画像形成装置を５色以上のタンデム型に構成する場合には、小型とする画像形成装置におけるサイズ上の制約から小型、薄型の中間転写ベルトのシステムが必要となってくるので、中間転写ベルトに転接させる回転部材及び駆動手段を設置するスペースを確保することが困難となる。
【００１２】
また、５色以上のタンデム型の画像形成装置における中間転写ベルトのシステムに対して、中間転写ベルトに転接させる回転部材及び駆動手段を設置するよう構成する場合には、画像形成装置自体を大型化せねばならないから、更なるコストアップに繋がるという問題がある。
【００１３】
また、中間転体写方式でなく、用紙搬送ベルトで記録媒体を搬送し、そこに転写する方式においては、用紙搬送ベルトと感光体ドラムに速度差を設けると、用紙スキュー等も発生してきてしまう。
【特許文献１】特開２００４−２８７０８３
【発明の開示】
【発明が解決しようとする課題】
【００１４】
本発明は、上述の点に鑑み、転写不良による文字や細線の中抜け等が生じない高転写効率を獲得しながら、バンディングによるプロセス方向の濃度ムラも効果的に抑制でき、しかも高付加価値に構成すると共に、構成を簡素化して小型化可能とした廉価な画像形成装置を新たに提供することを目的とする。
【課題を解決するための手段】
【００１５】
請求項１に記載の画像形成装置は、中間転写体または用紙搬送ベルト上の記録媒体にトナー像を転写する複数の画像形成ユニットを備えた、画像形成装置において、中間転写体または用紙搬送ベルトに略等速で転接する、少なくとも一つの画像形成ユニットに設けた感光体と、中間転写体または用紙搬送ベルトに速度差をもって転接する、画像形成ユニットに設けた感光体と、を有することを特徴とする。
【００１６】
請求項２の発明は、請求項１に記載の画像形成装置において、中間転写体または用紙搬送ベルトに速度差をもって転接する感光体と中間転写体または用紙搬送ベルトとの速度差が、感光体の移動速度をＶｐ、中間転写体または用紙搬送ベルトの移動速度をＶｔとしたときに、０．０５≧｜（Ｖｔ−Ｖｐ）｜／Ｖｐ≧０．００９なる関係であることを特徴とする。
【００１７】
前述のように構成することにより、一部の感光体と、中間転写体との間に速度差を設けることにより、感光体上のトナー像にせん断力が働いて転写効率が向上し、これに伴って画質が向上し、小さい文字、細線における中抜け画像の発生を防ぐことができる。これと共に、他の少なくとも一つの画像形成ユニットに設けた感光体が中間転写体上を等速で転動するため、中間転写体に速度変動生じた場合に、中間転写体上を等速で転動する感光体が、速度変動を抑制する粘性抵抗として働き、バンディングの原因である中間転写体側の共振を減衰させ、中間転写体の移動方向と直交する方向に沿った帯状の領域の画像濃度がムラになる画質欠陥（濃度筋）の発生を抑制できる。
【００１８】
請求項３に記載の画像形成装置は、転写材に一括転写をする中間転写体と、中間転写体に、トナー像を転写するための感光体と、帯電手段と、露光手段と、現像手段とを設けた、複数の画像形成ユニットと、を備え、少なくとも一つの画像形成ユニットに設けた感光体を、中間転写体に略等速で転接させると共に、それ以外の画像形成ユニットをクリーナーレス方式に構成し更に画像形成ユニットに設けた感光体を中間転写体または用紙搬送ベルトに速度差をもって転接させることによって、各感光体上のトナー像を中間転写体または用紙搬送ベルト上の記録媒体上に転写することを特徴とする。
【００１９】
上述のように構成することにより、一部の感光体と、中間転写体との間に速度差を設けることにより、感光体上のトナー像にせん断力が働いて転写効率が向上し、これに伴って画質が向上し、小さい文字、細線における中抜け画像の発生を防ぐことができる。これと共に、他の少なくとも一つの画像形成ユニットに設けた感光体が中間転写体上を等速で転動するため、中間転写体に速度変動生じた場合に、中間転写体上を等速で転動する感光体が、速度変動を抑制する粘性抵抗として働き、バンディングの原因である中間転写体側の共振を減衰させ、中間転写体の移動方向と直交する方向に沿った帯状の領域の画像濃度がムラになる画質欠陥（濃度筋）の発生を抑制できる。さらに、各画像形成ユニットにおけるクリーニング装置を省略して省スペースを実現し、構成を簡素化して廉価に製造可能とする。
【００２０】
請求項４の発明は、請求項１乃至請求項３の何れか１項に記載の画像形成装置において、中間転写体または用紙搬送ベルトに略等速で転接する感光体が、不可視光に吸収域を有する透明トナー像を現象するものであることを特徴とする。
【００２１】
上述のように構成することにより、請求項１乃至請求項３の何れか１項に記載の発明の作用、効果に加えて、透明トナー像用の画像形成ユニットの感光体における透明トナー自体の転写率が、他の画像形成ユニットと比較して若干低下しても、透明トナーによる書き込み情報が外乱に強いため、画質欠陥の問題を生じないようにできる。さらに、感光体上に透明トナーの転写残トナーが多少発生してもトナーが透明であるため露光障害を起こす虞がない。また、中間転写体上に透明トナーの転写残トナーがあっても、転写残トナーが透明トナーであるため、搬送方向最上流にある画像形成ユニットの有色トナーに混入しても、混色の問題が発生しないようにできる。
【発明の効果】
【００２２】
本発明の画像形成装置によれば、転写不良による文字や細線の中抜け等が生じない高転写効率を獲得することができ、バンディングによるプロセス方向の濃度ムラを効果的に抑制でき、しかも高付加価値に構成すると共に、画像形成ユニットをクリーナレス構造にする等により構成を簡素化して小型化可能とした廉価な画像形成装置を提供できるという効果がある。
【発明を実施するための最良の形態】
【００２３】
本発明の第１実施の形態に係わる画像形成装置について、図１乃至図６により説明する。図１に示す画像形成装置は、タンデム型の中間転写方式を採用したデジタルカラー画像形成装置として構成されている。
【００２４】
このタンデム型の中間転写方式を採用した画像形成装置１１本体の内部には、特殊色としての不可視光に吸収域を持つ近赤外線吸収色素を用いたいわゆる透明色（ｉ）、ブラック（Ｋ）、シアン（Ｃ）、マゼンタ（Ｍ）、イエロー（Ｙ）のトナー像を、２次転写に用いられる中間転写体（像担持体）としての中間転写ベルト３２に対して１次転写するのに用いられる５つの画像形成ユニット１０ｉ、１２Ｋ、１４Ｃ、１６Ｍ、１８Ｙを、所定の間隔で並べて配置する。この画像形成ユニット１０ｉは、中間転写ベルト３２の搬送方向最下流側に配置しなければならないものではなく、他のブラック（Ｋ）、シアン（Ｃ）、マゼンタ（Ｍ）、イエロー（Ｙ）の画像形成ユニット１２Ｋ、１４Ｃ、１６Ｍ、１８Ｙと任意の配置関係となるように構成しても良い。なお、この画像形成装置は、これら５色以外に、さらにユーザ特定の色である、いわゆるコーポレートカラーなどの特殊色を加えた６色以上のカラー画像形成装置として構成しても良い。
【００２５】
図１及び図２に示すように、５つの画像形成ユニット１０ｉ、１２Ｋ、１４Ｃ、１６Ｍ、１８Ｙは、それぞれ所定の速度で回転駆動される１次転写に用いられる像担持体としての感光体ドラム２０を備え、この感光体ドラム２０の回りに、その回転方向（図中矢印Ａ方向）に順に、１次転写ロール２２と、感光体ドラム２０の表面を清掃するクリーニング装置２４と、感光体ドラム２０の表面を一様に帯電する帯電装置である帯電チャージャー２６と、感光体ドラム２０の表面に所定の色に対応した画像を露光して静電潜像を形成する画像露光装置（露光手段）としてのＬＥＤプリントヘッド２８（以下、「ＬＰＨ」という）と、感光体ドラム２０上に形成された静電潜像を所定の色のトナーで現像する現像装置としての現像器３０とが、配設されている。
【００２６】
なお、後述する本発明の第２実施の形態に係わる画像形成装置に用いる５つの画像形成ユニット１０ｉ、１２Ｋ、１４Ｃ、１６Ｍ、１８Ｙは、クリーニング装置２４をなくした、いわゆるクリーナレス方式の画像形成ユニット１０ｉ、１２Ｋ、１４Ｃ、１６Ｍ、１８Ｙとして構成する。
【００２７】
本第１実施の形態に係わる画像形成装置１１では、各画像形成ユニット１０ｉ、１２Ｋ、１４Ｃ、１６Ｍ、１８Ｙに、それぞれ個別に各色の画像データが順次出力され、各ＬＥＤプリントヘッド２８から画像データに応じて出射されたレーザ光が各々対応する感光体ドラム２０の表面に照射されて静電潜像が形成される。これら各感光体ドラム２０上に形成された静電潜像は、各対応する現像装置としての現像器３０によって、それぞれ特殊色としての透明色（ｉ）、ブラック（Ｋ）、シアン（Ｃ）、マゼンタ（Ｍ）、イエロー（Ｙ）の各色のトナー像として現像される。
【００２８】
すなわち、上述のように構成された各画像形成ユニット１０ｉ、１２Ｋ、１４Ｃ、１６Ｍ、１８Ｙで画像を形成する場合には、感光体ドラム２０の表面を帯電チャージャー２６によって一様に帯電し、次に、帯電された感光体ドラム２０の表面をＬＥＤプリントヘッド２８から画像データに応じて出射される画像形成用のレーザ光で露光することにより各色に対応した静電潜像を形成する。このように感光体ドラム２０上に形成された静電潜像は、各現像器３０によってそれぞれ特殊色としての透明色（ｉ）、ブラック（Ｋ）、シアン（Ｃ）、マゼンタ（Ｍ）、イエロー（Ｙ）の各色のトナーによりトナー像に現像される。これらのトナー像は、１次転写ロール２２の帯電作用によって、感光体ドラム２０が転接する中間転写ベルト（２次転写に用いられる中間転写体である像担持体）３２上に順次多重に転写される。
【００２９】
なお、この画像形成ユニット１０ｉ、１２Ｋ、１４Ｃ、１６Ｍ、１８Ｙでは、各々のトナー像の転写工程が終了した後の感光体ドラム２０の表面をクリーニング装置２４によって残留トナーや紙粉等を除去し、次の画像形成プロセスに備える。
【００３０】
このクリーニング装置２４は、クリーニングブレード３４（図２に示す）によって、感光体ドラム２０上の残留トナーや紙粉等を除去するようになっている。また、トナー像の転写工程が終了した後の中間転写ベルト３２の表面は、これに接する位置に配置されたクリーニング装置３６によって残留トナーや紙粉等が除去されて、次の画像形成プロセスに備える。
【００３１】
このようにして各画像形成ユニット１０ｉ、１２Ｋ、１４Ｃ、１６Ｍ、１８Ｙの感光体ドラム２０上に、それぞれ形成された特殊色としての透明色（ｉ）、ブラック（Ｋ）、シアン（Ｃ）、マゼンタ（Ｍ）、イエロー（Ｙ）の各色のトナー像は、各画像形成ユニット１０ｉ、１２Ｋ、１４Ｃ、１６Ｍ、１８Ｙの上方に渡って配置された無端状のベルト部材である中間転写ベルト（２次転写に用いられる中間転写体である像担持体）３２上に、各対応する１次転写ロール２２によって多重に転写される。
【００３２】
各１次転写ロール２２は、各々が対応する画像形成ユニット１０ｉ、１２Ｋ、１４Ｃ、１６Ｍ、１８Ｙの各感光体ドラム２０に対応した位置で、中間転写ベルト３２の裏面側に転接するよう配設する。
【００３３】
また、このカラー画像形成装置１１の内部には、特殊色としての透明色（ｉ）、ブラック（Ｋ）、シアン（Ｃ）、マゼンタ（Ｍ）、イエロー（Ｙ）の各色の現像器３０に、それぞれ対応する所定の色のトナーを、図示しないフレキシブルチューブを介して供給するトナーカートリッジ３８を着脱可能に設置する。
【００３４】
また、中間転写ベルト３２は、ベルトユニットの駆動ロール４０と、１次転写面出しロール４４と、２次転写ロール４６に対し中間転写ベルト３２を介して接触するバックアップロール４８との間に一定のテンションで張架されており、定速性に優れた専用の駆動モータ（図示しない駆動源）によって回転駆動される駆動ロール４０により、矢印方向に所定の速度で循環駆動されるようになっている。
【００３５】
このカラー画像形成装置では、中間転写ベルト３２上に多重に転写された特殊色としての透明色（ｉ）、ブラック（Ｋ）、シアン（Ｃ）、マゼンタ（Ｍ）、イエロー（Ｙ）の各色のトナー像を、バックアップロール４８に圧接する２次転写ロール４６によって、圧接力及び電界で画像出力媒体としての記録用紙（図示せず）上に２次転写する。
【００３６】
これらの各色のトナー像が転写された記録用紙は、上方に位置する定着器５０へと搬送される。この２次転写ロール４６は、バックアップロール４８の側方に圧接しており、下方から上方に搬送される記録用紙上に、各色のトナー像を２次転写するようになっている。そして、上記各色のトナー像が転写された記録用紙は、定着器５０によって熱及び圧力で定着処理を受けた後、カラー画像形成装置１１の上部に設けられた排出トレイ５２上に排出される。
【００３７】
なお、記録用紙は、給紙装置としての給紙トレイ５４から所定のサイズのものが、分離して搬送され用紙搬送路を通って所定のタイミングで中間転写ベルト３２の２次転写位置へ供給され、前述のようにトナー像が転写されてから排出トレイ５２上へ搬出される。
【００３８】
このタンデム型の中間転写方式を採用した画像形成装置１１では、画像形成ユニット１０ｉによって特殊色として透明トナーを利用して不可視画像を形成する場合に、不可視画像、記録用紙及び可視画像との分光反射率特性を、図３に例示するような特性をもつものにする。
【００３９】
この図３は、透明トナーでベタ画像を記録用紙上に作成し、その上にシアン（Ｃ）、マゼンタ（Ｍ）、イエロー（Ｙ）のトナー像を作成し分光反射率を測定した結果を示す。この図３において、波長４００ｎｍ〜７００ｎｍの範囲は肉眼で見ることのできる可視光領域である。この領域では透明トナー像の反射率はＹＭＣトナー像の反射率より高くなり、透明トナーの肉眼による観察が不可となる。
【００４０】
一方、波長７００ｎｍ以上の領域は、肉眼で見ることのできない不可視光領域（近赤外光領域）であり、透明トナーはこの領域で分光反射率が急激に低下し、逆にＹＭＣトナーは反射率が急激に高くなるため、両者の差が大きくなり、特定の手段により不可視画像の読みとりが可能となる。
【００４１】
具体的な読みとり手段としては、例えば、赤外光成分を有する照明（例えばハロゲンランプ）を用紙に照射しつつ、赤外光に感度を有するイメージセンサで画像を読みとるものがある。上記のような透明トナーを用いることで、隠蔽したい付加情報を不可視画像で形成することができ、セキュリティーやログ管理のような付加価値を提供できる。また透明トナーは特に刷り順等に寄らずどの位置でも読みとりは可能である。
【００４２】
また、このタンデム型の中間転写方式を採用した画像形成装置１１では、画像形成ユニット１０ｉによって、図４（Ａ）の赤外光照射により機械読み取りにより認識した場合の拡大図に例示するような２次元パターンからなる不可視画像を形成しても良い。この赤外光で認識可能な２次元パターンの不可視画像は、図４（Ｂ）の模式図に例示するように、２値化され短い斜め線のような集合体で２次元コード化された形で画像形成され、外乱に強く書き込み、読みとりが可能となっている。この２次元パターンの不可視画像は、機械読み取りによりデジタル情報に復号変換し、ビット情報イメージ１５として捉えられるように構成する。すなわち、この不可視画像は、ＣＣＤ等の読み取り装置により、図４（Ａ）に示されるような２次元パターンとして読み取られ、これがデジタル情報としてビット情報イメージ１５に復号変換され、さらには、エンコード時の記録フォーマットに対応した方式で音声情報、文章、画像ファイル、アプリケーションソフトの電子ファイル等へデコードされる。
【００４３】
この図４（Ａ）（Ｂ）に例示する２次元パターンは、回転角度が異なる複数の微小ラインビットマップで形成された場合の一例を示したものであり、具体的には、相互に異なる傾きを有する２種類の微小ライン単位１３が配列し、片方が「０」、もう片方が「１」のビット情報を表している。この回転角度が異なる複数の微小ラインビットマップからなる２次元パターンは、可視画像に与えるノイズが極めて低く、かつ大量の情報を高密度にデジタル化して埋め込むことができるため、好適に用いられる。
【００４４】
次に、上述した本第１実施の形態に係わる画像形成装置１１において、転写効率を向上させるための手段について説明する。この画像形成装置１１に用いる転写効率向上の手段では、画像形成ユニット１０ｉを除く、ブラック（Ｋ）、シアン（Ｃ）、マゼンタ（Ｍ）、イエロー（Ｙ）に係わる画像形成ユニット１２Ｋ、１４Ｃ、１６Ｍ、１８Ｙにおける４つの感光体ドラム２０と、中間転写ベルト３２との間に、速度差を設ける構成とする。ここでは、中間転写ベルト３２の周速を、感光体ドラム２０の周速よりも、１％早い構成とする。なお、感光体ドラム２０の周速を、中間転写ベルト３２の周速よりも、１％早い構成としても良い。
【００４５】
この転写効率を向上させるための手段では、例えば、画像形成ユニット１２Ｋ、１４Ｃ、１６Ｍ、１８Ｙにおける４つの感光体ドラム２０を駆動するための駆動源に接続する駆動機構として設けた歯車伝達機構におけるギヤ比を変更調整することによって、中間転写ベルト３２の周速が感光体ドラム２０の周速よりも１％早くなるように設定する。
【００４６】
このように、感光体ドラム２０と、中間転写ベルト３２との間に速度差（周速度比）を設けることにより、感光体ドラム２０上のトナー像には、１次転写ロール２２での転写電界に加え、せん断力が働くため、転写効率が向上し、これに伴って画質が向上し、小さい文字、細線における中抜け画像の発生を防ぐことが可能となる。
【００４７】
このような転写効率を向上させるための手段を用いた画像形成装置１１では、感光体ドラム２０と、中間転写ベルト３２との間に速度差（周速度比）を設けることの副作用として、光体ドラム２０と、中間転写ベルト３２との間の摩擦力が低減するため、中間転写ベルト３２が駆動部の変動に伴う影響を受けやすくなり、いわゆるバンディングに起因するプロセス方向の濃度ムラが発生し易くなる。
【００４８】
そこで、本第１実施の形態に係わる画像形成装置１１では、バンディングによるプロセス方向の濃度ムラを抑制する手段を設ける。
【００４９】
この画像形成装置１１におけるバンディングによる濃度ムラを抑制する手段では、画像形成ユニット１０ｉの感光体ドラム２０と、中間転写ベルト３２との間だけに速度差を設けないで、ほぼ等速の周速で転接する構成とする。
【００５０】
このように構成した画像形成装置１１では、感光体ドラム２０が中間転写ベルト３２上を等速で転動するため、駆動手段の速度変動が中間転写ベルト３２に伝達した場合に、中間転写ベルト３２上を転動する感光体ドラム２０が、速度変動を抑制する粘性抵抗として働き、バンディングの原因である中間転写ベルト３２側の共振を減衰させ、中間転写ベルト３２の移動方向と直交する方向に沿った帯状の領域の画像濃度がムラになる画質欠陥（濃度筋）の発生を抑制できる。
【００５１】
このバンディングによる濃度ムラを抑制する手段を用いた画像形成装置１１では、画像形成ユニット１０ｉ（高付加価値な第５マーキングユニット）の感光体ドラム２０における透明トナー自体の転写率が、他の画像形成ユニット１２Ｋ、１４Ｃ、１６Ｍ、１８Ｙと比較して若干低下するが、前述したように透明トナーによる書き込み情報が２値化された２次元コードであり外乱に強いため、画質欠陥の問題を生じることはない。
【００５２】
また、前述のように、転写効率向上の手段及びバンディングによる濃度ムラを抑制する手段を設けた画像形成装置１１では、特殊色（特色）としての不可視光に吸収域を持つ透明トナーに対応した画像形成ユニットとを備えて高付加価値に構成するため、５つの画像形成ユニット１０ｉ、１２Ｋ、１４Ｃ、１６Ｍ、１８Ｙを備えた、いわゆる５エンジン化して大型化したマーキング部の幅寸法をそれ以上大きくしないようにバンディングの発生を防止するための回転部材（アイドラーロール）やその駆動手段を付加する広い設置場所を必要とする構成を付加することなく構成して中間転写ベルトのシステムを小型及び薄型に維持し、転写効率を向上させかつバンディングの抑制された高画質を得るという、二律背反した要求を同時に満足する画像形成装置１１を構成できる。
【００５３】
次に、上述のように構成した本第１実施の形態に係わる画像形成装置１１における効果を確認するために行った実験について説明する。
【００５４】
この実験では、本第１実施の形態に係わる画像形成装置１１の構成である、４エンジンの画像形成ユニット１２Ｋ、１４Ｃ、１６Ｍ、１８Ｙの各感光体ドラム２０と中間転写ベルト３２との速度差を１％とし、透明トナー用の画像形成ユニット１０ｉにおける感光体ドラム２０と中間転写ベルト３２とを等速で転接させる構成とする。
【００５５】
この画像形成装置に対する比較例１は、５エンジンの全てである画像形成ユニット１０ｉ、１２Ｋ、１４Ｃ、１６Ｍ、１８Ｙの各感光体ドラム２０と中間転写ベルト３２との速度差を１％に構成する。
【００５６】
この画像形成装置に対する比較例２は、５エンジンの全てである画像形成ユニット１０ｉ、１２Ｋ、１４Ｃ、１６Ｍ、１８Ｙの各感光体ドラム２０と中間転写ベルト３２とを等速で転接させる構成する。
【００５７】
前述したそれぞれの構成の画像形成装置により、実際に画像を形成して比較したところ、図５に示すような結果が得られた。
【００５８】
この図５に示す判定結果から分かるように、本第１実施の形態に係わる画像形成装置１１の構成では、転写効率が高く、しかもバンディングが抑制されて高画質な画像を得られるという満足できる結果が得られた。
【００５９】
なお、比較例１では、バンディングにより画質が低下していた。また比較例２では、転写性の低下から小さな文字の中抜けが発生していた。
【００６０】
よって、本第１実施の形態に係わる画像形成装置１１の構成は、比較例１及び比較例２から、その優位性が確認された。
【００６１】
次に、本発明の第２実施の形態について図６により説明する。この図６に示す画像形成装置１１では、各画像形成ユニットにおいて、クリーニング装置２４を省略して、いわゆるクリーナーレス構成とし、５エンジンとしての画像形成ユニット１０ｉ、１２Ｋ、１４Ｃ、１６Ｍ、１８Ｙを備えながら、画像形成装置１１全体の更なる小型化を図る。
【００６２】
これと共に、本第２実施の形態に係わる画像形成装置１１では、ブラック（Ｋ）、シアン（Ｃ）、マゼンタ（Ｍ）、イエロー（Ｙ）の４色の画像形成ユニット１２Ｋ、１４Ｃ、１６Ｍ、１８Ｙにおける各感光体ドラム２０と、中間転写ベルト３２との間の各速度差を３％に設定し、中間転写ベルト３２の周速の方が感光体ドラム２０の周速よりも早くなる構成をとる。
【００６３】
さらに、透明トナー像が現像される画像形成ユニット１０ｉにおける感光体ドラム２０のみを中間転写ベルト３２と等速（同速度）で駆動するよう構成する。
【００６４】
このように構成した本第２実施の形態に係わる画像形成装置１１では、ブラック（Ｋ）、シアン（Ｃ）、マゼンタ（Ｍ）、イエロー（Ｙ）の有色の画像形成ユニット１２Ｋ、１４Ｃ、１６Ｍ、１８Ｙにおける各感光体ドラム２０と、中間転写ベルト３２との速度差が大きくなり、更にせん断力効果が増加することになるから転写率が１００％に近づく。
【００６５】
このため、ブラック（Ｋ）、シアン（Ｃ）、マゼンタ（Ｍ）、イエロー（Ｙ）の有色の画像形成ユニット１２Ｋ、１４Ｃ、１６Ｍ、１８Ｙを、それぞれクリーニング装置２４を省略したいわゆるクリーナーレス構成としても、転写残トナーによる混色等の問題が生じることがない。
【００６６】
また、透明トナー用の画像形成ユニット１０ｉにおいては、転写残トナーが感光体ドラム２０上に多少発生するが、例えばこの転写残トナーを、帯電チャージャー２６の帯電ロールとＬＥＤプリントヘッド２８とを通過させて現像器３０内に回収するように構成すれば、トナーが透明であるため露光障害が発生しないように構成できる。
【００６７】
さらに、このように構成した画像形成装置１１では、感光体ドラム２０上に発生した転写残トナーを帯電チャージャー２６の帯電ロール等に回収し、非画像形成時に、帯電チャージャー２６等に回収した転写残トナーを中間転写ベルト３２側に吐き出させ、中間転写ベルト３２からクリーニング装置３６で回収するように構成しても良い。なお、このとき、中間転写ベルト３２上に吐き出された転写残トナーがクリーニング装置３６で回収を免れ通過した場合でも、転写残トナーが透明トナーであるため、搬送方向最上流にある画像形成ユニット１８Ｙのイエロー（Ｙ）トナーに混入して回収されても、混色の問題が発生しない。
【００６８】
また、このように構成した画像形成装置１１では、前述した第１実施の形態に係わる画像形成装置１１と同様に、透明トナー用の画像形成ユニット１０ｉにおける感光体ドラム２０（第５感光体）が、中間転写ベルト３２に等速で転動することによる粘性効果により中間転写ベルト３２の共振が減衰されてバンディングが抑制されて高画質な画像を得られると共に、小型な構成で高付加価値な画像形成装置１１を構成することができる。
【００６９】
すなわち、上述のように構成した、いわゆるクリーナーレス画像形成装置は、転写不良による文字や細線の中抜け等が生じない高転写効率を獲得しながら、バンディングによるプロセス方向の濃度ムラも効果的に抑制できる。さらに、透明トナー用の画像形成ユニット１０ｉの感光体ドラム２０（第５感光体）の作用で中間転写ベルト３２の共振を減衰しバンディングを抑制する構成で、他にアイドラーロールやその駆動手段を持たないため、高付加価値な透明トナー用の画像形成ユニット１０ｉ（第５マーキングユニット）を持ちながら省スペースを実現し、かつ廉価に製造できる。
【００７０】
ここで、この画像形成装置１１では、１次転写において中抜けなどの画質欠陥を防止し転写効率を高めるため、感光体ドラム２０の移動速度をＶｐ、中間転写ベルト３２の移動速度をＶｔとしたときに、感光体ドラム２０の速度を基準とした、中間転写ベルト３２と感光体ドラム２０との周速度比である、｜（Ｖｔ−Ｖｐ）｜／Ｖｐの式から求められる値を、０．００９以上で、かつ０．０５以下にするという条件（０．０５≧｜（Ｖｔ−Ｖｐ）｜／Ｖｐ≧０．００９）、トナーの平均粒径は５〜９μｍで、形状係数は１３４以下という条件、および感光体ドラム表面の動摩擦係数は、０．９以下という条件を全て満たすように構成する。
【００７１】
次に、上述した画像形成装置１１が、中抜けなどの画質欠陥を防止し、転写効率を高めるために満たすべき条件について説明する。
【００７２】
この画像形成装置１１では、感光体ドラム２０の周速度と中間転写ベルト３２の周速度に差を設けることにより、感光体ドラム２０上に形成されたトナー像が、中間転写ベルト３２に摺擦されてせん断力を受けるため、付着力が弱められてクーロン力が支配的になり、中間転写ベルト３２への転写が容易になり転写率が向上するように、条件を設定する。
【００７３】
この転写率を向上させる条件を求めるために用いた、画質および転写率の測定方法、評価方法は、以下の通りである。
【００７４】
画質は、文字、パッチ画像（ベタ画像、ハーフトーン画像）、線画像からなる混合画像チャートを用い、中抜けおよび転写ムラを評価する。
【００７５】
転写率は、ベタパッチ画像の、１次色（ＹＭＣＫ：１００％）、２次色（Ｂｌｕｅ，Ｒｅｄ：２００％）、３次色（Ｐｒｏｃｅｓｓ  Ｂｌａｃｋ：３００％）が並んだチャートを用いて測定する。
【００７６】
この測定方法は、トナー像を形成した後、中間転写ベルトに１次転写し、中間転写ベルト上にトナー像が担持され、記録媒体に２次転写される前の状態で画像形成装置をストップさせて行う。
【００７７】
例えばトナー像をＹ，Ｍ，Ｃ，Ｋ色の順で形成し、Ｃ色が１次転写された後に画像形成装置をストップさせる。すると感光体ドラム上には、Ｃ色の転写残トナーと、中間転写ベルト上に既に転写されているＹＭ色の一部が感光体ドラムに転移したリトランスファー・トナーとが載っている。この転写残トナーとリトランスファー・トナーとをすべてテープ上に転写させて、そのテープとトナー残量限度見本とテープとを対比することにより転写率のグレード付けを行う。
ここで、トナー残量限度見本を下記の表１に示す。
【００７８】
【表１】
2006267705.tif 000003
@0010
この測定を、１次転写ロールのバイアス電圧を変えながら行うと、印加される電圧が高くなるに従い転写が促進されるので、転写残トナー量は減少し、逆に、印加される電圧が高くなるに従いニップ部の放電が促進されるので、リトランスファー・トナー量が増加する。
【００７９】
図７は、ＹＭＣＫ各色のトナー像を形成する毎に転写残トナー量とリトランスファー・トナー量をそれぞれ測定した結果を示す図であり、縦軸は、トナー残量限度見本と対比したグレードをあらわし、横軸は、１次転写ロールに印加される１次転写バイアス電圧をあらわしている。
【００８０】
図７に示す、転写残トナー量の測定結果（黒四角印）は、各色のトナー像を形成したときの転写残トナー量のうち、転写残トナー量が最も多い色の傾向曲線を表し、リトランスファー・トナー量の測定結果（白丸印）は、各色のトナー像を形成したときのリトランスファー・トナー量のうち、リトランスファーが最も早い色の傾向曲線を表す。
【００８１】
図から明らかなように転写残トナー量は、１次転写バイアス電圧が高くなると減少するが、反面、リトランスファー・トナー量は増加する。したがって、本実施形態では、両方の傾向曲線の交点をクロスポイントと定義し、クロスポイントにおけるトナー残量限度見本と対比したグレードが２以下となるように転写残トナー量およびリトランスファー・トナー量を抑制することにより、フルカラーの画像形成においてクロスポイント以下のトナー残量を達成させる。
【００８２】
ここで、トナー残量限度見本におけるグレード２は、最も色差として感知される、Ｋ色トナーがＹ色トナーに混色した場合の最大値であり、これ以上のトナー量が混色すると目視により色差として感知される。したがって、トナー残量がこれ以下となれば、その残トナーがクリーニングされずに転写されたとしても、正規に転写されたトナー像との色差変動が起きないので、残トナーをクリーナで回収しなくてもよい。
【００８３】
次に、中間転写ベルト３２と感光体ドラム２０との周速度比について説明する。
【００８４】
図８は、画像形成装置で未使用の初期状態にある中間転写ベルト３２と感光体ドラム２０とを利用したときにおける、周速度比を−０．０５から＋０．０５まで変化させたときの、画質と転写率を測定した結果を示す図である。
【００８５】
ここで、本測定に用いた感光体ドラム２０は、表面層にＰＴＦＥを含有する、動摩擦係数が０．９以下の感光体を用いる。トナーは、平均粒径が６．５μｍ、形状係数が１１８の球形トナーを用いる。
【００８６】
図８において、○印、△印、×印は、中抜けと転写ムラの発生状態をあらわす評価基準で、○印は、発生せず、△印は、一部に発生が見られる、×印は、顕著に発生が見られる状態をそれぞれ表す。
【００８７】
図８からわかるように、中抜けは、周速度比がゼロ（中間転写体ベルト３２と感光体ドラム２０とが等速）の場合に一部発生が見られた。また転写ムラは、周速度比が±０．０５のときに一部に発生が見られた。この転写ムラは、通常の転写不良と異なり、周期性のある筋状の濃度変動によるもので、速度差があまり大きくなると感光体ドラム２０又は中間転写ベルト３２の何れかが引きずられ、一部回転変動が起きるためと考えられる。クロスポイントにおけるグレードは、周速度比がマイナスのときよりも、中間体ベルトの移動速度の方が早い、プラスのときの方が良好になる傾向がる。また周速度比がゼロのときは、転写率が極端に悪化し、目標グレードから大きくはずれてしまう。
【００８８】
したがって、周速度比は、転写率を向上させるひとつの制御因子であることが明らかである。
【００８９】
ここで、本実施の形態の画像形成装置では、中間転写ベルトの移動速度が、画像を形成するプロセス速度と一致しており、周速度比は、感光体ドラムの移動速度を変更する必要がある。このため、例えば周速度比がプラスのときは、トナー像が感光体上に形成されるときは周速度比分圧縮され、１次転写されるときは伸張されることになるので、周速度差が極端に異なる場合を除外すれば、記録媒体上に形成される最終画像においては画像の乱れは生じず、高画質で、且つ高転写率を得ることができる。
【００９０】
次に、上述した図８に示す周速度比を変化させたときの画質と転写率を測定した画像形成装置に対して行った信頼性試験について説明する。
【００９１】
この画像形成装置の信頼性試験は、図８に示す画質と転写率を測定したときと同条件で、画像形成装置によって５万枚プリントした段階で試験を中止し、評価したところ、図９に示すような結果が得られた。
【００９２】
この図９に示す評価の結果から分かるように、現像剤の劣化によりトナーと感光体の付着力が増加したため、転写性が全体に落ちて０．００９未満では中抜けグレードが未達成となり許容できない。なお、これは、クリーナー無しの構成でも、クリーナーを設けた構成でも同様な結果である。よって、この画像形成装置では、長期に渡り高転写性を維持するために、０．０９以上の速度差が必要で、画質維持のために、０．０５以下の速度差が必要となることが分かる。すなわち、この画像形成装置では、長期に渡り高転写性を維持するために、の速度差を、０．０９以上、０．０５以下の範囲に設定することが必要である。
【００９３】
なお、画像形成装置１１が、中抜けなどの画質欠陥を防止し、転写効率を高めるために満たすべき条件における、感光体ドラム表面２０の動摩擦係数は、０．９以下という条件については、特開２００４−２９４３５公報の段落（００５０）から段落（００５８）までの記載及び添付図面の図５及び図６を援用する。
【００９４】
さらに、画像形成装置１１が満たすべき条件における、トナーの平均粒径は５〜９μｍで、形状係数は１３４以下という条件については、特開２００４−２９４３５公報の段落（００５９）から段落（００６５）までの記載及び添付図面の図５及び図７を援用する。
【００９５】
また、前述したタンデム型の中間転写方式を採用した画像形成装置１１では、画像形成ユニット１２Ｋ（必要に応じて画像形成ユニット１０ｉを併用する）を利用して白黒画像を形成（透明画像を重畳して形成）し、又は全ての画像形成ユニット１０ｉ、１２Ｋ、１４Ｃ、１６Ｍ、１８Ｙを利用してフルカラー画像を形成することができることは勿論である。
【００９６】
なお、上述した実施の形態では、中間転写体方式の画像形成装置を例に挙げて説明したが、本発明はこれに限定されず、例えば、用紙搬送ベルトにより搬送された画像出力媒体に各画像形成ユニットで形成された画像を直接転写する画像形成装置にも適用できる。また、本発明は前述した実施の形態に限定されるものではなく、本発明の要旨を逸脱しない範囲で、その他種々の構成を取り得ることは勿論である。
【図面の簡単な説明】
【００９７】
【図１】本発明の第１実施の形態に係わる、タンデム型の中間転写方式を採用した画像形成装置を示す全体概略構成図である。
【図２】本発明の第１実施の形態に係わる画像形成装置に用いる画像形成ユニットを取り出し要部を断面で示す構成図である。
【図３】本発明の第１実施の形態に係わる画像形成装置で形成する不可視画像の特性を説明するためのグラフである。
【図４】（Ａ）は、本発明の第１実施の形態に係わる画像形成装置で形成する赤外光で認識可能な２次元パターンの不可視画像の一例を示す要部の拡大図であり、（Ｂ）は、その２次元パターンの不可視画像を機械読み取りによりデジタル情報に復号変換し、ビット情報イメージとして捉えたときの模式図である。
【図５】本発明の第１実施の形態に係わる画像形成装置における効果を確認するために行った実験結果を示す表である。
【図６】本発明の第２実施の形態に係わる、タンデム型の中間転写方式を採用した画像形成装置を示す全体概略構成図である。
【図７】本発明の実施の形態に係わる画像形成装置において、ＹＭＣＫ各色のトナー像を形成する毎に転写残トナー量とリトランスファー・トナー量をそれぞれ測定した結果を示す図である。
【図８】本発明の実施の形態に係わる画像形成装置において、周速度比を−０．０５から＋０．０５まで変化させたときの、画質と転写率を測定した結果を示す表である。
【図９】本発明の実施の形態に係わる画像形成装置に対して行った信頼性試験の結果を示す表である。
【符号の説明】
【００９８】
１０ｉ      画像形成ユニット
１１  画像形成装置
１２Ｋ      画像形成ユニット
１４Ｃ      画像形成ユニット
１６Ｍ      画像形成ユニット
１８Ｙ      画像形成ユニット
２０  感光体ドラム
２２  １次転写ロール
２４  クリーニング装置
２６  帯電チャージャー
２８  ＬＥＤプリントヘッド
３０  現像器
３２  中間転写ベルト
【図１】
2006267705.tif 000004
【図２】
2006267705.tif 000005
【図３】
2006267705.tif 000006
【図４】
2006267705.tif 000007
【図５】
2006267705.tif 000008
【図６】
2006267705.tif 000009
【図７】
2006267705.tif 000010
【図８】
2006267705.tif 000011
【図９】
2006267705.tif 000012